(57)【要約】【課題】    搬送車から天板をスライドすることで搬送車から寝台への被検体の移し替えを簡単に行える医用画像診断装置を提供する。【解決手段】  被検体を載置する天板と、前記天板を取り外し可能に搭載する寝台装置を備えた医用画像診断装置において、  前記寝台装置は、前記天板が搭載された搬送車との連結部を持っており、前記天板は、前記搬送車より前記寝台装置へ、またはその逆へスライドするための車輪を有し、前記搬送車は、該搬送車から前記寝台装置へ前記天板をスライドするための走行面を有する。【選択図】      図2
2010099390.tif 000002
【特許請求の範囲】
【請求項１】
被検体を載置する天板と、前記天板を取り外し可能に搭載する寝台装置を備えた医用画像診断装置において、
前記寝台装置は、前記天板が搭載された搬送車との連結部を持っており、前記天板は、前記搬送車より前記寝台装置へ、またはその逆へスライドするための車輪を有し、前記搬送車は、該搬送車から前記寝台装置へ前記天板をスライドするための走行面を有することを特徴とする医用画像診断装置。
【請求項２】
車輪は被検体の左右方向に前記天板を走行可能であることを特徴とする請求項１記載の医用画像診断装置。
【発明の詳細な説明】
【技術分野】
【０００１】
本発明は、MRI(Magnetic Resonance Imaging)装置等の医用画像診断装置に係り、特に、搬送車から寝台への被検体の移し替えを可能にするために取り外し可能な天板を備えた寝台装置を備えた医用画像診断装置に関する。
【背景技術】
【０００２】
従来のMRI装置では、撮影空間に被検体を搬入するためにストレッチャー等の搬送車から寝台へと被検体の移し替えをする必要があり、被検体や操作者にとって負担となる。そこで、被検体の移し替えをなくすために、被検体を載置した天板を搬送車から寝台へ移し替えることが可能な搬送車及び寝台が提案されてきた。たとえば、下記文献では、被検体引渡しのために搬送車を寝台の側面に設置し、搬送車から寝台へ、配備した支持アームによって天板をスライドさせることで被検体を寝台へ引き渡している。
【０００３】
【特許文献１】特開2002-325763号公報
【発明の開示】
【発明が解決しようとする課題】
【０００４】
しかしながら特許文献１では、天板をスライドするための支持アームの出し入れや、寝台に備え付けられた支持棒により、支持アームからスライドされた天板を上昇および保持した後に下降させて寝台に固定するため、被検体移し替えの手順が煩雑になりうる。
【０００５】
そこで、本発明の目的は、天板を搬送車からスライドすることで寝台への移し替えを簡単に行える寝台装置と搬送車を提供することである。
【課題を解決するための手段】
【０００６】
上記の目的を達成するために、被検体を載置する天板と、前記天板を取り外し可能に搭載する寝台装置を備えた医用画像診断装置において、
前記寝台装置は、前記天板を受け入れ被検体の搬入および搬出するための搬送車との連結部を持っており、前記天板は、前記搬送車より前記寝台装置へ、またはその逆へスライドするための車輪を有し、前記搬送車は、前記搬送車より前記寝台装置前記天板がスライドするための走行面を有することを特徴とする。
【発明の効果】
【０００７】
本発明の医用画像診断装置によれば、被検体を載置した天板を搬送車から寝台へまたはその逆へとスライドすることで、寝台と搬送車間における被検体の移し替えの負担無く簡単にできる。
【発明を実施するための最良の形態】
【０００８】
以下、本発明の医用画像診断装置の好ましい実施形態について図面を参照して詳細に説明する。なお、発明の実施形態を説明するための全図において、同一機能を有するものは同一符号を付け、その繰返しの説明は省略する。
【０００９】
＜第一の実施形態＞  
本発明を適用する第一の実施形態の一例の全体概要を説明する。図１は、寝台2を備えた医用画像診断装置の一例であるMRI装置1を示している。寝台2は天板支持板3を備えており、その上に取り外し可能な天板4を載置できる。天板支持板3は図2に示すように搬送車輪5を備えており、天板支持板3と連結された電動の送り機構6によってMRI装置1内の撮影空間に天板４を搬送または寝台2に引き戻すことができる。ただし、送り機構6は図示しないモーターにより、ベルト方式で天板支持板3を動かすようになっている。
【００１０】
図2に示すように寝台2の横に置かれた搬送車7は支持板8とそれを固定する支柱9から構成されており、支柱9は走行車輪10を備えている。支持板8上には天板4を設置できる。支持板8には走行板11が備えられている。寝台2の横に搬送車7を置いたとき高さが調整され、図１の下側に記載されている断面図のように、普段は鉛直方向に向いている走行板11を支持板8に対して水平に倒し、天板支持板3に連結することで寝台2と搬送車7の間を天板4がスライドするための走行面となる。連結手段の一例として、例えば天板支持板3に凹部を設け走行板11先端に設けた凸部を差し込んでもよい。
【００１１】
天板4裏面には図3に示すような車輪12が備えられており、手動にて天板4を左右に移動できる。これにより、天板支持板3と接続された走行面上を天板4が走行でき、寝台2と搬送車7との間を天板4がスライドすることで移し替えが可能となる。天板4に備えられる車輪12にはボールキャスタ等のように全方向に回転可能な車輪を用いてもよい。移し替えられた天板4は例えば、図1に示すような天板支持板3上に設けられた固定溝13に天板の車輪12をはめ込むことで固定してもよい。
【００１２】
図2に示すような簡略な実施例では、被検体を載置する天板と、前記天板を取り外し可能に搭載する寝台装置を備えた医用画像診断装置において、
前記寝台装置は、前記天板を受け入れ被検体の搬入および搬出するための搬送車との連結部を持っており、前記天板は、前記搬送車より前記寝台装置へ、またはその逆へスライドするための車輪を有し、前記搬送車は、前記搬送車より前記寝台装置前記天板がスライドするための走行面を有する。そのため、支持板8に備えられた左右に展開可能な走行板11を天板支持板3に連結することで、天板4を搬送車7から左もしくは右方向へスライドし、天板支持板3に載置できる。
【００１３】
＜第二の実施形態＞  
次に、本発明の第二の実施形態を説明する。第一の実施形態と異なる点は搬送車よりスライドされた天板を寝台と直接連結することで、第一の実施形態にあるような天板支持板に天板を載置することなく、天板を撮影空間に搬送できることである。本実施形態の寝台装置は基本的には第1の実施形態と同じである。したがって異なる箇所のみを説明する。
【００１４】
本実施形態の概略を図4に示す。搬送車7に備えられた走行板11を寝台側部14に連結することで天板4がスライドするための走行面とする。搬送車7よりスライドされた天板4は寝台板15に載置され、図5に示すように寝台2に備えられた電動の送り機構16と連結される。連結手段には、例えば天板4に凹部を設け、送り機構16に設けた凸部を差し込むことで固定してもよい。天板4裏面には図6に示すように全方向に回転可能なボールキャスタ17等の車輪を備えており、送り機構16によって撮影空間に搬送または寝台2に引き戻すことができる。
【図面の簡単な説明】
【００１５】
【図１】第一の実施形態の寝台装置とその横に置かれた搬送車を備えたMRI装置の上面図。
【図２】図1における寝台装置の正面図。
【図３】寝台装置の天板の底面図。
【図４】第二の実施形態の寝台装置とその横に置かれた搬送車を備えたMRI装置の正面図。
【図５】図4における寝台装置の上面図。
【図６】第二の実施形態の寝台装置の天板の底面図。
【符号の説明】
【００１６】
1  水平磁場方式MRI装置、2  寝台、3  天板支持板、4  天板、5  搬送車輪、6  送り機構、7  搬送車、8  支持板、9  支柱、10  走行車輪、11  走行板、  12  車輪、13  固定溝、14  寝台側部、15  寝台板、16  送り機構、17  ボールキャスタ
【図１】
2010099390.tif 000003
【図２】
2010099390.tif 000004
【図３】
2010099390.tif 000005
【図４】
2010099390.tif 000006
【図５】
2010099390.tif 000007
【図６】
2010099390.tif 000008